【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
モータと、
前記モータを収容するモータハウジングと、
前記モータハウジングと一体的に設けられるグリップハウジングと、
前記モータハウジングの前方に配置されるハンマケースと、
前記モータにより回転されるスピンドルと、
前記ハンマケースの内部に収容され、前記スピンドルにより回転されるハンマと、
前記ハンマケースの内部に収容され、前記ハンマにより打撃されるアンビルと、を有するインパクト工具であって、
前記スピンドルに係合部を設け、
前記係合部に係合する被係合部を有し、遊星歯車を保持するピンを設け、
前記係合部及び前記被係合部により、前記ピンがハンマ側へと移動不能になる
ことを特徴とするインパクト工具。
【請求項２】
前記ハンマを付勢するためのコイルスプリングを設け、
前記係合部及び前記被係合部は、前記コイルスプリング及び前記ハンマと干渉しない位置に配置されていることを特徴とする請求項１記載のインパクト工具。
【請求項３】
前記ピンは、前記遊星歯車を保持する大径部と、前記大径部よりも小径な小径部とを有し、
前記係合部は、前記小径部が嵌合する凹部であることを特徴とする請求項１又は請求項２記載のインパクト工具。
【請求項４】
前記スピンドルに前記コイルスプリングを保持するためのバネ受け突起部を設け、
前記ハンマの前記バネ受け突起部と対向する位置を凹ませたことを特徴とする請求項１から請求項３の何れかに記載のインパクト工具。
【請求項５】
前記モータの回転軸を保持可能な軸受を設け、
前記軸受を保持し、前記ハンマケースに保持される軸受保持壁を設け、
前記モータハウジングに第１の凸部を設け、
前記軸受保持壁に第２の凸部を設け、
前記第１の凸部の後方に前記第２の凸部を配置し、
前記第２の凸部を、前記軸受保持壁の後部であって、前記軸受の径方向外側に配置したことを特徴とする請求項１から請求項４の何れかに記載のインパクト工具。
【請求項６】
前記遊星歯車と噛み合う内歯ギヤを設け、
前記内歯ギヤを、前記ハンマケースと前方側で突き当たるように構成し、
前記軸受保持壁に、前記内歯ギヤを回転不能に設け、
前記内歯ギヤの前記ハンマと対向する位置を凹ませたことを特徴とする請求項１から請求項５の何れかに記載のインパクト工具。
【請求項７】
前記ハンマケースの前部に、前記アンビルを保持するための軸受を配置し、
前記アンビルと前記ハンマケースの間にワッシャを配置し、
前記ハンマケースから前記アンビル側に延びるように突起部を設け、
前記突起部を前記ワッシャの内径側に配置したことを特徴とする請求項１から請求項６の何れかに記載のインパクト工具。
【手続補正２】
【補正対象書類名】明細書
【補正対象項目名】０００５
【補正方法】変更
【補正の内容】
【０００５】
本発明は、前後や上下の長さが従前のものに比べて、締め付けトルクを確保しつつ短く、狭い場所等において取扱い易く、又従来のピン押え用のワッシャを省略することで、部品点数を削減し、モータハウジングの後端からアンビルの前端までの長さを短縮化することができるインパクト工具を提供することを主な目的とするものである。
【手続補正３】
【補正対象書類名】明細書
【補正対象項目名】０００６
【補正方法】変更
【補正の内容】
【０００６】
上記目的を達成するために、請求項１に記載の発明は、モータと、前記モータを収容するモータハウジングと、前記モータハウジングと一体的に設けられるグリップハウジングと、前記モータハウジングの前方に配置されるハンマケースと、前記モータにより回転されるスピンドルと、前記ハンマケースの内部に収容され、前記スピンドルにより回転されるハンマと、前記ハンマケースの内部に収容され、前記ハンマにより打撃されるアンビルと、を有するインパクト工具であって、前記スピンドルに係合部を設け、前記係合部に係合する被係合部を有し、遊星歯車を保持するピンを設け、前記係合部及び前記被係合部により、前記ピンがハンマ側へと移動不能になることを特徴とするものである。
【手続補正４】
【補正対象書類名】明細書
【補正対象項目名】０００７
【補正方法】変更
【補正の内容】
【０００７】
請求項２に記載の発明は、上記発明において、前記ハンマを付勢するためのコイルスプリングを設け、前記係合部及び前記被係合部は、前記コイルスプリング及び前記ハンマと干渉しない位置に配置されていることを特徴とするものである。
請求項３に記載の発明は、上記発明において、前記ピンは、遊星歯車を保持する大径部と、前記大径部よりも小径な小径部とを有し、前記係合部は、前記小径部が嵌合する凹部であることを特徴とするものである。
請求項４に記載の発明は、上記発明において、前記モータの回転軸を保持可能な軸受を設け、前記軸受を保持し、前記ハンマケースに保持される軸受保持壁を設け、前記モータハウジングに第１の凸部を設け、前記軸受保持壁に第２の凸部を設け、前記第１の凸部の後方に前記第２の凸部を配置し、前記第２の凸部を、前記軸受保持壁の後部であって、前記軸受の径方向外側に配置したことを特徴とするものである。
請求項５に記載の発明は、上記発明において、前記遊星歯車と噛み合う内歯ギヤを設け、前記内歯ギヤを、前記ハンマケースと前方側で突き当たるように構成し、前記軸受保持壁に、前記内歯ギヤを回転不能に設け、前記内歯ギヤの前記ハンマと対向する位置を凹ませたことを特徴とするものである。
請求項６に記載の発明は、上記発明において、前記遊星歯車と噛み合う内歯ギヤを設け、前記内歯ギヤを、前記ハンマケースと前方側で突き当たるように構成し、前記軸受保持壁に、前記内歯ギヤを回転不能に設け、前記内歯ギヤの前記ハンマと対向する位置を凹ませたことを特徴とするものである。
請求項７に記載の発明は、上記発明において、前記ハンマケースの前部に、前記アンビルを保持するための軸受を配置し、前記アンビルと前記ハンマケースの間にワッシャを配置し、前記ハンマケースから前記アンビル側に延びるように突起部を設け、前記突起部を前記ワッシャの内径側に配置したことを特徴とするものである。
【手続補正５】
【補正対象書類名】明細書
【補正対象項目名】０００８
【補正方法】変更
【補正の内容】
【０００８】
本発明の内、請求項１に記載の発明によれば、従来のピン押え用のワッシャを省略することで、部品点数を削減し、モータハウジングの後端からアンビルの前端までの長さを短縮化することができ、狭い場所等において極めて取扱い易いインパクト工具を提供することができる、という効果を奏する。
【手続補正６】
【補正対象書類名】明細書
【補正対象項目名】０００９
【補正方法】変更
【補正の内容】
【０００９】
又、請求項２に記載の発明によれば、上記発明において、上記係合部をコイルスプリング及びハンマに干渉しないようにしたため、上記効果に加えて、打撃の影響を低減して耐久性に優れた状態でモータハウジングの後端からアンビルの前端までの長さを短縮化することができる、という効果を奏する。
更に、請求項３に記載の発明によれば、上記発明において、上記係合部をピン小径部の凹部への嵌合としたため、上記効果に加えて、モータハウジングの後端からアンビルの前端までの長さの短縮化のための上記係合部をシンプルに設けることができる、という効果を奏する。
加えて、請求項４に記載の発明によれば、上記発明において、バネ受け突起部と対向するハンマ部分を凹ませたので、上記効果に加えて、スプリングをスピンドルで直接受けることとしながらハンマの前後移動可能距離を保持し、ハンマの動作性能を維持したままモータハウジングの後端からアンビルの前端までの長さを短縮化することができる、という効果を奏する。
又、請求項５に記載の発明によれば、上記発明において、軸受保持壁の軸受保持部外側に、第１の凸部に隣接する第２の凸部を配置したため、上記効果に加えて、軸受保持壁を強度充分に固定しながらモータハウジングの後端から前記アンビルの前端までの長さを短縮化することができる、という効果を奏する。
更に、請求項６に記載の発明によれば、上記発明において、ハンマと対向する内歯ギヤ部分を凹ませたため、上記効果に加えて、ハンマの前後移動可能距離を保持してハンマの動作性能を維持したまま、ハンマを内歯ギアにより近付けることでモータハウジングの後端からアンビルの前端までの長さを短縮化することができる、という効果を奏する。
加えて、請求項７に記載の発明によれば、上記発明において、アンビルワッシャをアンビルの軸受ではなくハンマケース前部内に取り付けたので、上記効果に加えて、アンビルの軸受の受け部（ローラ）の前後長さを維持してアンビルの保持を充分なものとしながら、軸受の前後長さ（ひいてはモータハウジングの後端からアンビルの前端までの長さ）を短縮化することができ、又アンビルワッシャの取り付け長さ（圧入長さ）を充分に確保することができる、という効果を奏する。